(57)【要約】  本発明は，ＡＰＩ連動方式の上位ショッピングモールと独立ショッピングモールとのリンクシステム及びリンク方法に関するものであって，他の販売者達と共同で登録されている上位ショッピングモールのほかに，独立したドメインアドレスとユーザーインタフェースを持つ独立ショッピングモールを構築し，管理する技術に関するものである。  本発明によるＡＰＩ連動方式の上位ショッピングモールと独立ショッピングモールとのリンクシステムは，複数の販売者が存在する上位ショッピングモールと，前記販売者の一人が単独で運営する独立ショッピングモールとをリンクするＡＰＩ連動方式の上位ショッピングモールと独立ショッピングモールとのリンクシステムにおいて，商品情報，会員情報，決済及び配送情報を保存するショッピングモールのデータベース；ユーザーから商品照会又は購買要請の入力を受け，前記ショッピングモールのデータベースを抽出するための因数を出力し，前記ショッピングモールのデータベースから必要なデータの伝達を受ける独立ショッピングモールのウェブサーバー；及び，前記独立ショッピングモールのウェブサーバーから因数の入力を受けて解析した後，前記ショッピングモールのデータベースに接続し，前記必要なデータが前記独立ショッピングモールのウェブサーバーに転送されるように要請するＡＰＩサーバーを含む。
2009541842.tif 000002
【特許請求の範囲】
【請求項１】
複数の販売者が存在する上位ショッピングモールと，前記販売者の一人が単独で運営する独立ショッピングモールとをリンクするＡＰＩ連動方式の上位ショッピングモールと独立ショッピングモールとのリンクシステムにおいて，
商品情報，会員情報，決済及び配送情報を保存するショッピングモールのデータベース；
ユーザーから商品照会又は購買要請の入力を受け，前記ショッピングモールのデータベースのデータを抽出するための因数を出力し，前記ショッピングモールのデータベースから必要なデータの伝達を受ける独立ショッピングモールのウェブサーバー；及び，
前記独立ショッピングモールのウェブサーバーから因数の入力を受けて解析した後，前記ショッピングモールのデータベースに接続し，前記必要なデータが前記独立ショッピングモールのウェブサーバーに転送されるように要請するＡＰＩサーバー
を含むＡＰＩ連動方式の上位ショッピングモールと独立ショッピングモールとのリンクシステム。
【請求項２】
販売者の登録を受け，商品の登録を受け，登録された販売者から独立ショッピングモールの構築申請の入力を受ける上位ショッピングモールのウェブサーバーをさらに含むことを特徴とする請求項１記載のＡＰＩ連動方式の上位ショッピングモールと独立ショッピングモールとのリンクシステム。
【請求項３】
前記因数は，該当販売者ＩＤ，商品情報を検索するためのフィールド値を含むことを特徴とする請求項１記載のＡＰＩ連動方式の上位ショッピングモールと独立ショッピングモールとのリンクシステム。
【請求項４】
前記独立ショッピングモールのウェブサーバーは，前記ショッピングモールのデータベースからＸＭＬ又はＨＴＭＬの形式でデータの転送を受け，独立ショッピングモールのインタフェースに適合するように必要な出力形式に変換して出力することを特徴とする請求項１記載のＡＰＩ連動方式の上位ショッピングモールと独立ショッピングモールとのリンクシステム。
【請求項５】
前記独立ショッピングモールのウェブサーバーは，前記ショッピングモールのデータベースから伝達を受けた商品情報のデータの価格情報に別途の割引率を適用することを特徴とする請求項１記載のＡＰＩ連動方式の上位ショッピングモールと独立ショッピングモールとのリンクシステム。
【請求項６】
前記ショッピングモールのデータベースは，独立ショッピングモールを介して会員に加入したユーザーに対しては，別途の識別子で表示して会員情報を管理することを特徴とする請求項１記載のＡＰＩ連動方式の上位ショッピングモールと独立ショッピングモールとのリンクシステム。
【請求項７】
前記ショッピングモールのデータベースは，独立ショッピングモールを介して発生した決済に対しては，別途の識別子で表示して決済情報を管理することを特徴とする請求項１記載のＡＰＩ連動方式の上位ショッピングモールと独立ショッピングモールとのリンクシステム。
【請求項８】
上位ショッピングモールのウェブサーバーから販売者の登録を受け，商品の登録を受ける段階；
前記登録された販売者から独立ショッピングモールの構築申請を受ける段階；
前記独立ショッピングモールの構築申請により独立ショッピングモールを構築する段階；
独立ショッピングモールのウェブサーバーが，ユーザーから商品照会又は購買要請の入力を受け，ショッピングモールのデータベースのデータを抽出するための因数を出力する段階；
ＡＰＩサーバーが前記独立ショッピングモールのウェブサーバーから因数の入力を受けて解析した後，前記ショッピングモールのデータベースに接続し，必要なデータの転送を要請する段階；及び，
前記独立ショッピングモールのウェブサーバーが，前記ショッピングモールのデータベースから必要なデータの伝達を受ける段階
を含むＡＰＩ連動方式の上位ショッピングモールと独立ショッピングモールとのリンク方法。
【請求項９】
前記因数は，該当販売者ＩＤ，商品情報を検索するためのフィールド値を含むことを特徴とする請求項８記載のＡＰＩ連動方式の上位ショッピングモールと独立ショッピングモールとのリンク方法。
【請求項１０】
前記独立ショッピングモールのウェブサーバーは，前記ショッピングモールのデータベースからＸＭＬ又はＨＴＭＬの形式でデータの転送を受けることを特徴とする請求項８記載のＡＰＩ連動方式の上位ショッピングモールと独立ショッピングモールとのリンク方法。
【請求項１１】
前記独立ショッピングモールのウェブサーバーが，前記ショッピングモールのデータベースから伝達を受けるデータを独立ショッピングモールのインタフェースに適合するように必要な出力形式に変換して出力する段階をさらに含むことを特徴とする請求項８記載のＡＰＩ連動方式の上位ショッピングモールと独立ショッピングモールとのリンク方法。
【請求項１２】
前記独立ショッピングモールのウェブサーバーは，前記ショッピングモールのデータベースから伝達を受けた商品情報のデータの価格情報に別途の割引率を適用する段階をさらに含むことを特徴とする請求項８記載のＡＰＩ連動方式の上位ショッピングモールと独立ショッピングモールとのリンク方法。  
【発明の詳細な説明】
【技術分野】
【０００１】
本発明は，ＡＰＩ(application programming interface)連動方式の上位ショッピングモールと独立ショッピングモールとのリンクシステム及びリンク方法に関するものであって，他の販売者達と共同で登録されている上位ショッピングモールのほかに，独立したドメインアドレスとユーザーインタフェースを持つ独立ショッピングモールを構築し，管理する技術に関するものである。
【背景技術】
【０００２】
従来，上位ショッピングモールから下位ショッピングモールを生成，分配する方法及びシステムに関する技術があったが，このような技術は様々な問題点を有していた（大韓民国公開特許公報第２００５−０１１２０１５号，大韓民国公開特許公報第２００３−００７１７３２号参照）。
【０００３】
この従来の技術は，上位ショッピングモールが既に持っている商品のデータベースを複製するか，上位ショッピングモールのデータベースに直接接近する方式で，下位ショッピングモールを構築する方式を採択していた。
【０００４】
しかし，商品のデータベースを複製する方式の場合，ある一方のデータベースが更新される場合，他方との同期化がリアルタイムで行われず，一定周期をおいて同期化のための作業を別途に行わなければならなく，これにより一時的なデータの抜け落ちやシステムの資源浪費などの副作用が避けられないという問題点を持っていた。
【０００５】
また，上位ショッピングモールのデータベースに直接接近する方式の場合にも，下位ショッピングモールのデータベースへの接近によりセキュリティのリスクを甘受しなければならないとか，これを回避するために下位ショッピングモールのアカウントへの接近を相当部分遮断することにより，下位ショッピングモールの構成及び運営の自律性を深刻に侵害するという問題点があった。
【０００６】
また，その他のショッピングモールの分配ソリューションでは，初めから上位ショッピングモールと下位ショッピングモールとのリンクなく，下位ショッピングモールの独自的なデータベースを構成してくれる方式を多く採択しているが，このような方式は，販売者達が上位ショッピングモールと下位ショッピングモールの両方を別々に管理しなければならないという点から，相当な費用負担を甘受しなければならないという問題点があった。
【発明の開示】
【発明が解決しようとする課題】
【０００７】
本発明は，前記問題点を解決するために，ＡＰＩ連動方式を使用してデータベースの共有によるセキュリティの問題を解決し，下位ショッピングモールの独自性を強化することができる，上位ショッピングモールと独立ショッピングモールとのリンクシステム及びリンク方法を提供することを目的とする。
【課題を解決するための手段】
【０００８】
本発明によるＡＰＩ連動方式の上位ショッピングモールと独立ショッピングモールとのリンクシステムは，複数の販売者が存在する上位ショッピングモールと，前記販売者の一人が単独で運営する独立ショッピングモールとをリンクするＡＰＩ連動方式の上位ショッピングモールと独立ショッピングモールとのリンクシステムにおいて，商品情報，会員情報，決済及び配送情報を保存するショッピングモールのデータベース；ユーザーから商品照会又は購買要請の入力を受け，ショッピングモールのデータベースのデータを抽出するための因数を出力し，前記ショッピングモールのデータベースから必要なデータの伝達を受ける独立ショッピングモールのウェブサーバー；及び，前記独立ショッピングモールのウェブサーバーから因数の入力を受けて解析した後，前記ショッピングモールのデータベースに接続し，前記必要なデータが前記独立ショッピングモールのウェブサーバーに転送されるように要請するＡＰＩサーバーを含む。
【０００９】
また，本発明によるＡＰＩ連動方式の上位ショッピングモールと独立ショッピングモールとのリンク方法は，上位ショッピングモールのウェブサーバーから販売者の登録を受け，商品の登録を受ける段階；前記登録された販売者から独立ショッピングモールの構築申請を受ける段階；前記独立ショッピングモールの構築申請により独立ショッピングモールを構築する段階；独立ショッピングモールのウェブサーバーがユーザーから商品照会又は購買要請の入力を受け，ショッピングモールのデータベースのデータを抽出するための因数を出力する段階；ＡＰＩサーバーが前記独立ショッピングモールのウェブサーバーから因数の入力を受けて解析した後，前記ショッピングモールのデータベースに接続し，必要なデータの転送を要請する段階；及び，前記独立ショッピングモールのウェブサーバーが，前記ショッピングモールのデータベースから必要なデータの伝達を受ける段階を含む。
【発明の効果】
【００１０】
本発明によるＡＰＩ連動方式の上位ショッピングモールと独立ショッピングモールとのリンクシステム及びリンク方法の効果は次の通りである。
【００１１】
第一，ＡＰＩ連動方式を使用して独立ショッピングモールのウェブサーバーが該当販売者と関連した情報のみを獲得できるようにすることで，データベースの共有によるセキュリティの問題を解決することができる。
【００１２】
第二，独立ショッピングモールのウェブサーバーが，ショッピングモールのデータベースから伝達を受けたデータを自由に変換できるため，多様なユーザーインタフェースの提供が可能である。
【００１３】
第三，独立ショッピングモールと関連した情報の場合，ショッピングモールのデータベースにデータを保存するとき，別途の識別子を置くことにより，フィルタリング方法などにより独立ショッピングモールのみのマーケティング方法を具現できるため，独立ショッピングモールの独自性が一層強化される。
【００１４】
因みに，本発明の好適な実施例は例示するためのものであって，当業者であれば添付された特許請求範囲の技術的思想と範囲を通して多様な修正，変更，代替及び付加が可能であり，このような修正，変更などは，特許請求範囲に属するものと見なさなければならない。
【発明を実施するための最良の形態】
【００１５】
以下では，本発明の好適な実施例を，添付する図面を参照して詳細に説明する。
【００１６】
図１は，本発明の実施例による上位ショッピングモールと独立ショッピングモールとのリンクシステムを示すブロック図である。
【００１７】
図１を参照すると，上位ショッピングモールと独立ショッピングモールとのリンクシステムは，上位ショッピングモールのウェブサーバー（１０），ショッピングモールのデータベース（２０），独立ショッピングモールのウェブサーバー（３０），ＡＰＩサーバー（４０）から構成される。
【００１８】
上位ショッピングモールのウェブサーバー（１０）は，販売者の登録を受け，商品の登録を受け，登録された販売者から独立ショッピングモールの構築申請を受ける。
【００１９】
ショッピングモールのデータベース（２０）は，商品情報を保存する商品のデータベース（２１），会員情報を保存する会員情報のデータベース（２２），決済及び配送情報を保存する決済及び配送情報のデータベース（２３）を含む。
【００２０】
ショッピングモールのデータベース（２０）は，独立ショッピングモールを介して会員として加入したユーザーに対しては，別途の識別子で表示して会員情報を管理することができる。これにより，独立ショッピングモールを介して会員に加入したユーザーに対しては，フィルタリングを経て差別化されたマーケティング方法を適応することができる。
【００２１】
ショッピングモールのデータベース（２０）は，独立ショッピングモールを介して発生した決済に対しては，別途の識別子で表示して決済情報を管理することができる。これにより，流入経路の分析や訪問者の行態分析などの基礎資料として活用できる。
【００２２】
独立ショッピングモールのウェブサーバー（３０）は，ユーザーから商品照会又は購買要請の入力を受け，ショッピングモールのデータベース（２０）のデータを抽出するための因数をＡＰＩサーバー（４０）に出力し，ショッピングモールのデータベース（２０）から必要なデータの伝達を受ける。
【００２３】
前記因数は，該当販売者ＩＤ，商品情報を検索するためのフィールド値，会員情報ＩＤなどを含むことができる。
【００２４】
独立ショッピングモールのウェブサーバー（３０）は，ユーザーが会員に加入するなどのインターネットショッピングモールの一般的な機能も遂行することができる。
【００２５】
独立ショッピングモールのウェブサーバー（３０）は，ショッピングモールのデータベース（２０）からＸＭＬ又はＨＴＭＬの形式でデータの転送を受けることができる。そして，独立ショッピングモールのインタフェースに適合するように必要な出力形式に変換して出力することができる。これにより，必要なデータの転送を受けた後，所望の形態にデータを再配置して出力できるようにすることで，スキン編集などにより独立ショッピングモールの独自的なユーザーインタフェースを構築することができる。
【００２６】
独立ショッピングモールのウェブサーバー（３０）は，ショッピングモールのデータベース（２０）から伝達を受けた商品情報のデータの価格情報に別途の割引率を適用するか，別途の割引クーポンを発給することができる。これにより，独立ショッピングモールのみの独自の価格方針を構成することができる。
【００２７】
ＡＰＩサーバー（４０）は，独立ショッピングモールのウェブサーバー（３０）から因数の入力を受けて解析した後，ショッピングモールのデータベース（２０）に接続し，必要なデータの転送を要請する。
【００２８】
ＡＰＩサーバー（４０）を使用して，独立ショッピングモールのウェブサーバー（３０）が該当販売者又はユーザーと関連した情報のみを獲得できるようにすることで，データベースの共有によるセキュリティの問題を解決することができる。
【００２９】
図２は，本発明の実施例による上位ショッピングモールと独立ショッピングモールとのリンク方法を示すフローチャートである。
【００３０】
図２を参照すると，上位ショッピングモールのウェブサーバー（１０）から販売者の登録を受け，商品の登録を受ける（Ｓ１００）。
【００３１】
前記登録された販売者から独立ショッピングモールの構築申請を受ける（Ｓ１１０）。
【００３２】
前記独立ショッピングモールの構築申請により独立ショッピングモールを構築する（Ｓ１２０）。独立ショッピングモールの構築は，独立アカウントを設け，ショッピングモールの構築に必要なファイルを該当アカウントにコピーして行われ得る。
【００３３】
独立ショッピングモールのウェブサーバー（３０）が，ユーザーから商品照会又は購買要請の入力を受ける（Ｓ１３０）。
【００３４】
独立ショッピングモールのウェブサーバー（３０）が，ショッピングモールのデータベース（２０）のデータを抽出するための因数をＡＰＩサーバー（４０）に出力する（Ｓ１４０）。
【００３５】
前記因数は，該当販売者ＩＤ，商品情報を検索するためのフィールド値，会員情報ＩＤなどを含むことができる。
【００３６】
ＡＰＩサーバー（４０）が独立ショッピングモールのウェブサーバー（３０）から因数の入力を受けて解析した後，ショッピングモールのデータベース（２０）に接続し，必要なデータの転送を要請する（Ｓ１５０）。
【００３７】
独立ショッピングモールのウェブサーバー（３０）が，ショッピングモールのデータベース（２０）から必要なデータの伝達を受ける（Ｓ１６０）。独立ショッピングモールのウェブサーバー（３０）は，ショッピングモールのデータベース（２０）からＸＭＬ又はＨＴＭＬの形式でデータの転送を受けることができる。
【００３８】
独立ショッピングモールのウェブサーバー（３０）が，ショッピングモールのデータベース（２０）から伝達されるデータを，独立ショッピングモールのインタフェースに適合するように必要な出力形式に変換して出力する（Ｓ１７０）。
【００３９】
独立ショッピングモールのウェブサーバー（３０）は，ショッピングモールのデータベース（２０）から伝達を受けた商品情報のデータの価格情報に別途の割引率を適用する（Ｓ１８０）。
【図面の簡単な説明】
【００４０】
【図１】本発明の実施例による上位ショッピングモールと独立ショッピングモールとのリンクシステムを示すブロック図。
【図２】本発明の実施例による上位ショッピングモールと独立ショッピングモールとのリンク方法を示すフローチャート。
【符号の説明】
【００４１】
１０：上位ショッピングモールのウェブサーバー
２０：ショッピングモールのデータベース
２１：商品のデータベース
２２：会員情報のデータベース
２３：決済及び配送情報のデータベース
３０：独立ショッピングモールのウェブサーバー
４０：ＡＰＩサーバー
【図１】
2009541842.tif 000003
【図２】
2009541842.tif 000004
【国際調査報告】
2009541842.tif 000005
2009541842.tif 000006